(57)【要約】 【課題】製薬メーカの担当者、薬剤師、患者の全ての者の利便性を向上させる。【解決手段】薬剤情報表示部材１０は、薬剤の包装であるところのＰＴＰシート４０，５０に巻かれる態様で装着される装着部であるところの輪ゴム３０と、輪ゴム３０に付帯していて薬剤の服用に関する情報が付されている表示部であるところのインデックスシール２０とを有する。【選択図】  図１
2009261845.tif 000002
【特許請求の範囲】
【請求項１】
薬剤の包装に巻かれる態様で装着される装着部と、
前記装着部に付帯していて前記薬剤の服用に関する情報が付されている表示部とを有する、薬剤情報表示部材。
【請求項２】
前記装着部は、伸縮性を有する輪体、形状記憶性を有する細体、或いは、可破体である、請求項１記載の薬剤情報表示部材。
【請求項３】
前記表示部は、前記装着部に付着され、又は、前記装着部と一体で形成されている、請求項１記載の薬剤情報表示部材。
【請求項４】
前記表示部は、二つ折りされる態様で前記装着部に取り付けられ、かつ、当該二つ折りされる部分に折り目が形成されている、請求項１記載の薬剤情報表示部材。
【請求項５】
前記表示部は、前記折り目付近を除く部位で相互に貼付されている、請求項４記載の薬剤情報表示部材。
【請求項６】
薬剤の包装に貼付する貼付部と、
前記薬剤の服用に関する情報が付されている薬剤情報表示部材。
【発明の詳細な説明】
【技術分野】
【０００１】
本発明は、ＰＴＰ（press through package）包装などの薬剤包装体に取り付けられる部材に関する。
【背景技術】
【０００２】
特許文献１には、薬剤の包装体の耳の部分の幅を広くし、その耳の部分に薬剤名、効能、服用法、副作用、メーカ名などを表示するようにし、耳の部分に表示した情報が失われてしまうことがないように、耳の部分の直下のミシン目をなくし、また、薬剤の包装体の裏面に白色の薄いビニールシートを貼り、このビニールシートに薬剤名、効能、服用法、副作用、メーカ名などの情報を表示するようにしたことが開示されている。
【０００３】
【特許文献１】特開２００８−６１９７６号公報
【発明の開示】
【発明が解決しようとする課題】
【０００４】
しかし、特許文献１の技術では、個別具体的に、薬剤名、効能、服用法、副作用、メーカ名などを表示する作業を行なうところ、特許文献１には明記されていないが、この作業は、製薬メーカの担当者又は薬剤師が行うと考えられるところ、患者に対して薬を手渡すまでに手間、時間、費用を要する。
【０００５】
また、薬剤名、効能、服用法、副作用、メーカ名などが多くの情報が表示されていると、文字が小さくなったり、それらを読む煩わしさが生じたりといった二次的な問題も派生する。
【０００６】
さらに、近年、ＰＴＰシートから薬剤を出さずに、そのまま誤飲する事例が問題となっている。ＰＴＰシートを誤飲すると、食道穿孔や食道潰瘍等を起こし兼ねないので、誤飲防止に注意が働くような工夫が必要である。
【０００７】
そこで、本発明は、このような事情を考慮して、製薬メーカの担当者、薬剤師、患者の全ての者の利便性を向上させることを課題とする。
【課題を解決するための手段】
【０００８】
上記課題を解決するため、本発明の薬剤情報表示部材は、薬剤の包装に巻かれる装着部と、
前記装着部に付帯していて前記薬剤の服用に関する情報が付されている表示部とを有する。
【０００９】
前記装着部は、例えば輪ゴムのような伸縮性を有する輪体、針金等から成る形状記憶性を有する細体、或いは、紙などの可破体とすることができる。
【００１０】
前記表示部は、前記装着部に接着剤等を介して付着されてもよいし、例えば前記装着部自体に前記情報を直接印字等して記載するなどして前記装着部と一体で形成されてもよい。
【００１１】
前記表示部は、例えば、ファイリングされた紙面等に貼付されるインデックスシールのように、二つ折りされる態様で前記装着部に取り付けられるものとすることができる。この場合、当該二つ折りされる部分に折り目が形成されている、装着部に対する取り付け作業が容易になり好ましい。
【００１２】
前記表示部は、前記折り目付近を除く部位で相互に貼付してもよい。係る場合、当該部位にのみ糊付けをしておけば、装着部に対する取り付け作業時に、折り目付近と装着部とがくっつくことが防止でき、作業効率が向上する。
【００１３】
また、本発明の薬剤情報表示部材は、薬剤の包装に貼付する貼付部と、前記薬剤の服用に関する情報が付されている。
【発明を実施するための最良の形態】
【００１４】
以下、本発明の実施形態について、図面を参照して説明する。
【００１５】
図１は、本発明の実施形態の薬剤情報表示部材の典型的な使用例を示す図である。図１には、例えば２つのＰＴＰシート４０，５０と、ＰＴＰシート４０，５０を束ねるとともにこれらに内包されている薬剤の用法等の服用に関する表示がなされている薬剤情報表示部材１０とを示している。
【００１６】
薬剤情報表示部材１０は、薬剤の包装に巻かれる装着部であるところの輪ゴム３０と、輪ゴム３０に取り付けられていて薬剤の服用に関する情報が付されている表示部であるところのインデックスシール２０とを有する。インデックスシール２０は、典型的には、紙とその裏面に貼付される糊とを有するが、選択的に当該紙の表面をポリ塩化ビニルなどで覆ってもよい。インデックスシール２０は、紙又はポリポリ塩化ビニルを数ｍｍ（例えば２ｍｍ〜４ｍｍ）程度と厚手のものとすることもできる。こうすると、インデックスシール２０に所要の硬さを持たせることができるので、ＰＴＰシート４０における薬剤と対応する位置にインデックスシール２０を配置して、インデックスシール２０の上から指で押下すれば、ＰＴＰシート４０から容易に薬剤を押し出すことが可能となる。
【００１７】
なお、図１には、薬剤情報表示部材１０によって、２つのＰＴＰシート４０，５０を束ねる態様を示しているが、１つのＰＴＰシートに対して薬剤情報表示部材１０を巻きつけることも可能であるし、反対に、３つ以上のＰＴＰシートに対して薬剤情報表示部材１０を巻きつけることも可能である。つまり、本実施形態においては、薬剤情報表示部材１０は、ＰＴＰシートに内包されている薬剤の服用に関して、表示することが必須の機能であり、複数のＰＴＰシートを束ねることは副次的な機能となる。
【００１８】
また、図１における薬剤情報表示部材１０には、薬剤の服用に関する情報として「１日１回  朝食後１個」という表示例を示しているが、薬剤の服用に関する情報はこれに限定されず、「１回１個  服用して下さい」、「１日３回  毎食後  各１個」、「抗アレルギー剤」、或いは、「坐薬（冷所保存）」など、種々のものを用意しておき、典型的には、患者に対する処方箋に従って、薬剤師が所要の表示がなされている薬剤情報表示部材１０を、ＰＴＰシート４０等に巻きつければよい。
【００１９】
図２（ａ）は図１に示す薬剤情報表示部材１０の平面図、図２（ｂ）は図１に示す薬剤情報表示部材１０の正面図、図２（ｃ）は図１に示す薬剤情報表示部材１０の背面図、図２（ｄ）は図１に示す薬剤情報表示部材１０の右側面図である。なお、底面図及び左側面図は、それぞれ、正面図及び左側面図と同様であるのでここでは割愛する。また、インデックスシール２０の文字自体の内容は、本質的には無意味のため割愛する。ちなみに、インデックスシール２０に表示される文字は、図１及び後述する図４等に示す例と反対向きに表示してもよい。
【００２０】
図２に示すように、薬剤情報表示部材１０は、輪ゴム３０に対して、インデックスシール２０が二つ折りにされる態様で、取り付けられている。この取り付けは、糊付等によって行ってもよいし、熱圧着によっても行ってもよいし、その他の手法を採用して行ってもよい。また、インデックスシール２０の４つの角部を面取りして丸くしているが、面取りは必ずしもしなくてもよい。
【００２１】
一方、輪ゴム３０については、一例として、ＪＩＳ規格の７〜１４号サイズのもの（折り径が約１８〜５０ｍｍ）のものの中から、適宜採用すればよい。また、輪ゴム３０の幅は、０．８〜１．３ｍｍ程度とすればよい。
【００２２】
また、インデックスシール２０と輪ゴム３０は、インデックスシール２０の表示内容に応じて、色分けするなどして、患者が相互に見間違えにくくすることも一法である。
【００２３】
図３は、図２に示す薬剤情報表示部材１０のインデックスシール２０を二つ折りする前の裏面を示す図である。図３に示すように、インデックスシール２０は、二つ折りを容易に行えるように、折り目２２が形成されている。折り目２２は、折り線を付したり、破線状の破断部を設けたりするとよい。折り目２２を設けると、インデックスシール２０を輪ゴム３０に対する取り付け作業が容易になり好ましい。
【００２４】
また、折り目２２付近を除く部位には糊が付されている糊付領域２４，２６が設けられている。これにより、インデックスシール２０を輪ゴム３０に対する取り付け作業時に、輪ゴム３０が糊に付着することが防止できるので、さらに取り付け作業が容易になる。さらに、上記のように糊付領域２４，２６を設けると、薬剤情報表示部材１０を処分する際に、インデックスシール２０を、折り目２２付近で破くことで、インデックスシール２０と輪ゴム３０とを容易に分別することが可能となる。これは、ゴミの分別収集にも寄与するものである。
【００２５】
なお、糊付領域２４，２６の大きさの条件としては、一例として、インデックスシール２０の折り曲げ後の大きさを３０ｍｍ×２２ｍｍとした場合には、それぞれ１０ｍｍ×２２ｍｍとすることができる。糊付領域２４，２６を、この１０ｍｍを下回る領域しか確保しない場合には、インデックスシール２０の利用前にその剥離紙に対する貼付が保持できにくくなるので好ましくない。もっとも、糊付領域２４，２６を、この１０ｍｍを下回る領域とし、糊の粘度を向上させることによって、上記問題点を補完してもよい。
【００２６】
もっとも、図３に示す例のみならず、インデックスシール２０の裏面全体に糊付領域を設けてもよい。
【００２７】
図４は、図１に示すインデックスシール２０の代替例を示す図である。図４には、二つ折りする前のインデックスシール２０の表面を示している。
【００２８】
図４（ａ）〜図４（ｆ）には、図１に示すインデックスシール２０、及び、表示態様が異なるインデックスシール２０を示している。既述のように、患者毎に処方箋が異なるので、種々の表示態様のインデックスシール２０を用意しておく。
【００２９】
図４（ｇ）〜及び図４（ｉ）には、図１に示すインデックスシール２０とは形状が異なるインデックスシール２０を示している。これらのインデックスシール２０は、折り目２２を含む折り目領域２８を設けている。そして、これらのインデックスシール２０は、折り目領域２８以外の領域の裏面を、糊付領域２４，２６としている。こうすると、インデックスシール２０の製造時に、糊付領域２４，２６を形成しやすいというメリットがある。
【００３０】
本実施形態では、装着部として、輪ゴム３０を用いた場合を例に説明したが、これは、伸縮性を有しているので、ＰＴＰシート４０等の大小又は数に拘わらず、ＰＴＰシート４０等への装着が容易であるためである。ただし、装着部は、これに限定されず、針金等から成る形状記憶性を有する細体、或いは、紙などの可破体とすることができる。
【００３１】
また、本実施形態では、表示部として、インデックスシール２０を用いた場合を例に説明したが、輪ゴム３０自体つまり装着部自体を太くして、インデックスシールに印字していた情報を、直接、装着部自体に印字等してもよい。この場合、輪ゴム３０の幅は、例えば、５ｍｍ〜２０ｍｍ程度とすればよい。
【００３２】
なお、図５に示すように、インデックスシール２０を直接、ＰＴＰシート４０等に付着してもよい。この場合にも、インデックスシール２０の折り目２２付近で破くことで、インデックスシール２０とＰＴＰシート４０とを容易に分別することが可能となる。また、ＰＴＰシート４０等から更に剥がしやすいように、インデックスシール２０の角部を糊づけしないようにするなどの工夫をするとよい。一例としては、図６に示すように、使用時に角部となる部分を切断するといった構成にすると、その切断部分に対向する角部をつまむことでＰＴＰシート４０等から剥がしやすくなる。
【００３３】
さらに、薬剤情報表示部材１０の装着対象として、ＰＴＰシート４０等を例に説明したが、これと同様に錠剤やカプセル剤を包装するＳＰ（strip package）シート又はピロー（pillow package）シート、液状薬用のプラスチック製等の容器、塗り薬等のゲル状等の薬剤用のアルミニウム製等のチューブ、粉薬用の薬包紙など、種々の薬剤包装体に対しても薬剤情報表示部材１０を装着することができる。
【図面の簡単な説明】
【００３４】
【図１】本発明の実施形態の薬剤情報表示部材の典型的な使用例を示す図である。
【図２】図１に示す薬剤情報表示部材１０の平面図、正面図、背面図及び右側面図である。
【図３】図２に示す薬剤情報表示部材１０のインデックスシール２０を二つ折りする前の裏面を示す図である。
【図４】図１に示すインデックスシール２０の代替例を示す図である。
【図５】図１に示す薬剤情報表示部材の他の使用例を示す図である。
【図６】図３に示すインデックスシール２０の変形例を示す図である。
【符号の説明】
【００３５】
１０  薬剤情報表示部材
２０  インデックスシール
２２  折り目
２４，２６  糊付領域
３０  輪ゴム
４０，５０  ＰＴＰシート
【図１】
2009261845.tif 000003
【図２】
2009261845.tif 000004
【図３】
2009261845.tif 000005
【図４】
2009261845.tif 000006
【図５】
2009261845.tif 000007
【図６】
2009261845.tif 000008